(57)【要約】  本発明は、ガスケットボディの内周面上に備えられてドラム内に水を噴射する複数のノズル、及び前記ガスケットボディの外周面から突出して前記複数のノズルとそれぞれ連通する複数のポート挿入管を含むガスケットと、前記ガスケットの外周面に配置され、ポンプにより圧送された水を案内する移送管路、及び前記移送管路から前記ガスケットボディ側に突出し、前記ポート挿入管と結合される複数の吐出ポートを含む分配管とを含む。前記複数のポート挿入管は、前記ガスケットボディを左右に配分した第１、第２領域のうち前記第１領域に上下に配置される第１上部ポート挿入管及び第１下部ポート挿入管を含む。前記移送管路は、前記ガスケットボディの外周面から離隔された第１部分を含み、前記複数の吐出ポートのうち前記第１下部ポート挿入管と結合される第１下部吐出ポートは前記第１部分から突出して前記第１下部ポートと第１下部ポート挿入管が前記移送管路の第１部分と前記ガスケットボディの外周面の離隔した間において結合されることにより、前記ガスケットと前記水分離管とを気密に連結できる洗濯機に関する。
2021529044.tif 000002
【特許請求の範囲】
【請求項１】
洗濯機であって、
前面に形成された洗濯物投入口を有するケーシング１０と、
前記ケーシング内に配置され、その前面に開口部を有するタブ３０と、
前記タブ３０内に回転可能に備えられて洗濯物を収容するドラム４０と、
前記洗濯物投入口と前記開口部を連結する通路を形成するガスケットボディ６１、６２、前記ガスケットボディ６１、６２の内周面に備えられて前記ドラム内部に水を噴射する複数のノズル６６、６７、及び前記ガスケットボディ６１、６２の外周面から突出して前記複数のノズル６６、６７とそれぞれ連通する複数のポート挿入管６３、６４を備えるガスケット６０と、
前記タブ３０から排出される水を汲み出すように構成されたポンプ７０と、
前記ポンプ７０で汲み出した水を前記複数ノズルに供給するように構成された分配管８０と、を備えてなり、
前記分配管８０は、
前記ガスケットボディ６１、６２の外周面に配置され、前記ポンプ７０で汲み出した水を案内する移送管路８１、８２と、
前記移送管路８１、８２から前記ガスケットボディ６１、６２に向かって突出し、前記複数のポート挿入管６３、６４にそれぞれ結束される複数の吐出ポート８３、８４と、を備え、
前記ガスケットボディ６１、６２は、前記ケーシング１０の幅方向に第１領域と領域に分けられ、前記複数ポート挿入管６３、６４は、前記第１領域に垂直に配置される第１上部ポート挿入管６３ａ及び第１下部ポート挿入管６３ｂを備え、
前記複数の吐出ポート８３、８４は、
前記第１上部ポート挿入管６３ａに結束される第１上部吐出ポート８３ａと、
前記第１下部ポート挿入管６３ｂに結束される第１下部吐出ポート８３ｂと、を備え、
前記移送管路８１、８２は、前記ガスケットボディ６１、６２の外周面から離隔された第１部分を備え、
前記第１下部吐出ポート８３ｂは、前記第１部分から突出することを特徴とする、洗濯機。
【請求項２】
前記分配管８０は、前記第１下部吐出ポート８３ｂより低い地点において前記移送管路８１、８２から下方に突出して前記ポンプ７０で汲み出した水が流入する流入ポート８５を備えることを特徴とする、請求項１に記載の洗濯機。
【請求項３】
前記移送管路８１、８２は、前記ガスケットボディ６１、６２の前記第１領域の外周面上に配置され、前記流入ポートを介して流入した水を上方向に案内する第１管路部８１を備え、
前記第１管路部８１は、
前記流入ポート８５が配置される部分から前記第１領域の外周面に沿って弧形状に延長される第１下部案内区間８１ｆと、
前記第１下部案内区間８１ｆの上部において前記ガスケットボディ６１、６２から離れる方向に折曲された第１折曲区間８１ｅと、
前記第１節曲区間８１ｅから上方向に延長され、前記ガスケットボディ６１、６２の外周面から離格された第１下部ポート区間８１ｂと、を備え、
前記第１下部吐出ポート８３ｂは、前記第１下部ポート区間８１ｂから突出することを特徴とする、請求項２に記載の洗濯機。
【請求項４】
前記第１管路部８１は、少なくとも一部分が前記ガスケットボディ６１、６２の外周面から離隔された第１上部ポート区間８１ａを備え、
前記第１上部吐出ポート８３ａは、前記第１上部ポート区間８１ａから突出することを特徴とする、請求項３に記載の洗濯機。
【請求項５】
前記第１下部ポート挿入管６３ｂは、前記ガスケットボディの中心を通る水平線より下に配置され、
前記第１上部ポート挿入管６３ａは、前記水平線より上に位置し、
前記第１下部ポート挿入管６３ｂと前記水平線との間の距離は、前記第１上部ポート挿入管６３ａと前記水平線との間の距離より短いか、
前記第１下部ポート区間８１ｂと前記ガスケットボディ６１、６２の中心を通る垂直線との間の距離は、前記第１上部ポート区間８１ａと前記垂直線との間の距離より長いことを特徴とする、請求項４に記載の洗濯機。
【請求項６】
前記第１管路部８１は、前記第１下部ポート区間８１ｂ及び前記第１上部ポート区間８１ａの間の少なくとも一部分が弧形状になるように形成されることを特徴とする、請求項４又は５に記載の洗濯機。
【請求項７】
前記第１管路部８１は、
前記第１下部ポート区間８１ｂから延長される第１中間案内区間８１ｄと、
前記第１中間案内区間８１ｄの上端部から前記ガスケットボディ６１、６２の外周面に沿って弧形状に延長される第１上部案内区間８１ｃと、を更に備え、
前記第１上部ポート区間８１ａは、前記第１上部案内区間８１ｃの上端部から前記ガスケットボディ６１、６２から離れる方向に折曲されて形成されることを特徴とする、請求項４〜６の何れか一項に記載の洗濯機。
【請求項８】
前記第１上部案内区間８１ｃと前記第１下部案内区間８１ｆは、前記ガスケットボディ６１、６２の中心と実質的に同一の中心を有する仮想の円に接し、
前記第１上部ポート区間８１ａと前記第１下部ポート区間８１ｂは、前記仮想の円から離隔されることを特徴とする、請求項７に記載の洗濯機。
【請求項９】
前記第１上部案内区間８１ｃと前記第１下部案内区間８１ｆのそれぞれは、少なくとも部分的に前記ガスケットボディ６１、６２の外周面に接する部分を有することを特徴とする、請求項７又は８に記載の洗濯機。
【請求項１０】
前記第１上部案内区間８１ｃ及び第１下部案内区間８１ｆは、前記ガスケットボディ６１、６２の外周面から離隔され、
前記第１上部ポート区間８１ａと前記ガスケットボディ６１、６２の外周面との間の距離は、前記第１上部案内区間８１ｃと前記ガスケットボディ６１、６２の外周面との間の距離より長く、
前記第１下部ポート区間８１ｂと前記ガスケットボディ６１、６２の外周面との間の距離は、好ましくは、前記第１下部案内区間８１ｆと前記ガスケットボディ６１、６２の外周面との間の距離より長いことが特徴とする、請求項７〜９の何れか一項に記載の洗濯機。
【請求項１１】
前記第１管路部８１は、前記ガスケットボディ６１、６２の外周面に対向する内側面を備え、
前記第１上部及び下部吐出ポート８３ａ、８３ｂは、それぞれ前記第１上部及び下部ポート区間８１ａ、８１ｂの内側面から突出することを特徴とする、請求項４〜１０の何れか一項に記載の洗濯機。
【請求項１２】
前記第１上部ポート区間８１ａの内側面及び前記第１下部ポート区間８１ｂの内側面は互いに平行であり、
前記第１上部吐出ポート８３ａ及び前記第１下部吐出ポート８３ｂは、互いに平行に突出することを特徴とする、請求項１１に記載の洗濯機。
【請求項１３】
前記複数のポート挿入管６３、６４は、前記第２領域に垂直に配置される第２上部ポート挿入管６４ａ及び第２下部ポート挿入管６４ｂを備え、
前記複数の吐出ポート８３、８４は、
前記第２上部ポート挿入管６４ａに結束される第２上部吐出ポート８４ａと、
前記第２下部ポート挿入管６４ｂに結束される第２下部吐出ポート８４ｂと、を備え、
前記移送管路８１、８２は、前記ガスケットボディ６１、６２の外周面から離隔された第２部分を備え、
前記第２下部吐出ポート８４ｂは、前記第２部分から突出することを特徴とする、請求項１〜１２の何れか一項に記載の洗濯機。
【請求項１４】
前記移送管路８１、８２は、前記ガスケット６０の中心を通る垂直線に対して対称であり、
前記第１上部及び下部吐出ポート８３ａ、８３ｂと前記第２上部及び下部吐出ポート８４ａ、８４ｂは、前記垂直線に対して対称であることを特徴とする、請求項１３に記載の洗濯機。
【請求項１５】
前記移送管路８１、８２は、
前記ガスケットボディ６１、６２の第２領域の外周面に配置され、前記流入ポートを介して流入する水を上方向に案内する第２管路部８２を備え、
前記第１管路部８１の一端及び第２管路部８２の一端は、前記流入ポート８５が配置される地点において互いに連結され、
前記第１管路部８１の他端及び前記第２管路部８２の他端は、互いに分離することを特徴とする、前記請求項が請求項３に従属する限りにおいて、請求項１３又は１４に記載の洗濯機。
【発明の詳細な説明】
【技術分野】
【０００１】
本発明は、洗濯機に関し、より詳細には、タブから排出されて循環管に沿って循環された水をドラム内に噴射するノズルを備えた洗濯機に関する。
【背景技術】
【０００２】
一般的に、洗濯機は、水と洗剤の化学的分解作用及び水と洗濯物間の摩擦などの物理的作用などを利用して、衣服、寝具など（以下、「洗濯物」と略称する。）に付いた汚染物質を分離する装置を通称するものである。このような洗濯機は、水が溜まるタブと、前記タブ内に回転可能に備えられて洗濯物を収容するドラムとを含む。
【０００３】
大韓民国公開特許公報１０−２０１１−００４０１８０号（以下、「従来技術」という。）は、タブから排出された水を循環ポンプを用いて循環させ、このように循環した水を噴射ノズルを介してドラム内に噴射する洗濯機を開示している。前記洗濯機は、分配器が循環ポンプに結合されて洗濯水を分配し、分配器に第１、第２噴射流路が結合されて、第１、第２噴射流路が洗濯水を第１、第２噴射ノズルにそれぞれ案内する構造である。また、噴射ノズルは、ガスケットを貫通するコネクタによりガスケットに固定され、噴射流路と連結される。
【０００４】
従来技術は、２つの噴射ノズルを備える洗濯機を開示しているが、噴射方向に限りがあるため、洗濯物を均一に濡らすことができなかった。特に、最近は、前記ドラムに投入された洗濯物の流動に多様性を与えるために前記ドラムの回転を制御する新しい技術が開発されているにもかかわらず、従来のような構造では画期的な性能向上が期待できない限界がある。
【０００５】
また、従来技術は、コネクタがガスケットを貫通して噴射ノズルをガスケットに結合しなければならず、前記循環ポンプと連結された噴射流路は噴射ノズルと相当する個数が必要であり、複数の噴射流路とコネクタをそれぞれ結合しなければならないため、構造が複雑で、組み立てる過程により製品の製造工程が煩雑であった。
【０００６】
また、複数の噴射流路は、タブの周辺に配置されるバランサなどの構造物との干渉が発生する可能性があり、これを回避するためにバランサなどの構造及び配置が制限される問題があった。
【０００７】
また、前記ポンプ、噴射流路、コネクタ及び噴射ノズル間の連結部が多いため、洗濯機の運用時にその部分から洗濯水の水漏れが発生する可能性があり、前記洗濯水に含まれた洗剤の凝固や汚染物の沈着により発生する衛生上の問題もあった。
【発明の概要】
【発明が解決しようとする課題】
【０００８】
本発明が解決しようとする課題は、タブから排出された水を噴射する複数のノズルを備えて洗濯物を均一に濡らすことができ、ポンプと複数のノズルとの連結構造及び組立工程を単純化した洗濯機を提供することにある。
【０００９】
本発明の他の課題は、ノズルを備えるガスケットとポンプから圧送された水をノズルに案内する分配管が気密に連結される洗濯機を提供することにある。
【００１０】
本発明のまた他の課題は、ポンプから圧送された水をノズルに案内する分配管をガスケットに気密に連結させるとともに、タブ周辺の構造物との干渉を回避する洗濯機を提供することにある。
【００１１】
本発明の課題は、以上で言及した課題に限定されず、言及されていないまた他の課題は以下の記載から当業者に明確に理解できるであろう。
【課題を解決するための手段】
【００１２】
前記課題を達成するために、本発明の実施形態による洗濯機は、ドラム内に水を噴射する複数のノズルと、ポンプにより圧送された水を前記複数のノズルに供給する分配管とを含む（備える；構成する）。
【００１３】
前記洗濯機は、ケーシングの前方面に洗濯物投入口が形成され、タブの前方面に開口部が形成され、前記洗濯物投入口と前記開口部とを連結する通路を形成するガスケットボディを含む。
【００１４】
前記ノズルは、前記ガスケットボディの内周面上に備えられる。
【００１５】
前記ガスケットは、前記ノズルと連通する複数のポート挿入管を備える。前記ポート挿入管は前記ガスケットボディの外周面から突出する。
【００１６】
前記分配管は、前記ポンプから圧送された水を案内する移送管路と、前記複数のポート挿入管とそれぞれ結合される複数の吐出ポートとを含む。
【００１７】
前記移送管路は、前記ガスケットボディの外周面に配置される。
【００１８】
前記吐出ポートは、前記移送管路から前記ガスケットボディ側に突出する。
【００１９】
前記複数のポート挿入管は、前記ガスケットボディを左右に配分した第１、第２領域のうち前記第１領域に上下に配置される第１上部ポート挿入管及び第１下部ポート挿入管を含む。
【００２０】
前記複数の吐出ポートは、前記第１上部ポート挿入管と結合される第１上部吐出ポートと、前記第１下部ポート挿入管と結合される第１下部吐出ポートとを含む。
【００２１】
前記移送管路は、前記ガスケットボディの外周面から離隔された第１部分を含む。
【００２２】
前記第１下部吐出ポートは前記第１部分から突出する。
【００２３】
前記分配管は、前記ポンプから圧送された水が流入する流入ポートを含む。前記流入ポートは、前記移送管路から下側に突出する。前記流入ポートは、前記第１下部吐出ポートより下側において突出してもよい。
【００２４】
前記移送管路は、前記ガスケットボディ中に第１領域の外周面に配置され、前記流入ポートを介して流入した水を上方向に案内する第１管路部を含む。
【００２５】
前記第１管路部は、前記流入ポートが配置される区間から前記第１領域の外周面に沿って弧形状に延長された第１下部案内区間と、前記第１下部案内区間の上端部において前記ガスケットボディから離れる方向に折曲された第１折曲区間と、前記第１折曲区間から上側に延長され、前記ガスケットボディの外周面から離隔した第１下部ポート区間とを含む。
【００２６】
前記第１下部吐出ポートは、前記第１下部ポート区間から突出してもよい。
【００２７】
前記第１管路部は、少なくとも一部分が前記ガスケットボディの外周面から離隔された第１上部ポート区間を含む。
【００２８】
前記第１上部吐出ポートは、前記第１上部ポート区間から突出してもよい。
【００２９】
前記第１下部ポート挿入管は、前記ガスケットボディの中心を通る水平線より下側に位置してもよい。前記第１上部ポート挿入管は、前記水平線より上側に位置してもよい。前記第１下部ポート挿入管と前記水平線との間の距離は、前記第１上部ポート挿入管と前記水平線との間の距離より近くてもよい。
【００３０】
前記第１下部ポート区間と前記ガスケットボディの中心を通る垂直線との間の距離は、前記第１上部ポート区間と前記ガスケットボディの中心を通る垂直線との間の距離より遠くてもよい。
【００３１】
前記第１管路部は、前記第１下部ポート区間と第１上部ポート区間の間の少なくとも一部分が弧形状に形成されてもよい。
【００３２】
前記第１管路部は、前記第１下部ポート区間から前記ガスケットボディの中心に該当する高さまで上側に延長された第１中間案内区間と、前記第１中間案内区間の上端部から前記ガスケットボディの外周面に沿って弧形状に延長された第１上部案内区間とを含む。
【００３３】
前記第１上部ポート区間は、前記第１下部案内区間の上端部において前記ガスケットの外周面から離れる方向に折曲してもよい。
【００３４】
前記第１上部案内区間と第１下部案内区間は前記ガスケットボディの中心を中心とする仮想の円に接し、前記第１上部ポート区間と第１下部ポート区間は前記仮想の円から離隔される。
【００３５】
前記第１上部案内区間と第１下部案内区間は、少なくとも一部分が前記ガスケットボディの外周面に接触してもよい。
【００３６】
前記第１上部案内区間及び第１下部案内区間は、前記ガスケットボディの外周面から離隔されてもよい。前記第１上部ポート区間と前記ガスケットボディの外周面との間の離隔距離は、前記第１上部案内区間と前記ガスケットの外周面との間の離隔距離より遠くてもよい。前記第１下部ポート区間と前記ガスケットボディの外周面との間の離隔距離は、前記第１下部案内区間と前記ガスケットボディの外周面との間の離隔距離より遠くてもよい。
【００３７】
前記第１管路部は、前記ガスケットボディの外周面に対向する内側面を備え、前記第１上、下部吐出ポートはそれぞれ第１上、下部ポート区間の内側面から突出してもよい。
【００３８】
前記第１上部ポート区間の内側面及び前記第１下部ポート区間の内側面は互いに平行してもよい。前記第１上部吐出ポート及び前記第１下部吐出ポートは互いに平行に突出してもよい。
【００３９】
前記分配管は、前記ポンプから圧送された水を前記第１上、下部ポート挿入管とそれぞれ連通する第１上部ノズル及び第１下部ノズルに供給する第１分配管を含む。
【００４０】
前記第１分配管は、前記ポンプから圧送された水を案内する第１移送管路と、前記ポンプから圧送された水が流入する第１流入ポートと、前記第１上、下部吐出ポートとを含む。
【００４１】
前記第１移送管路は、前記第１領域の外周面に配置されてもよい。前記第１移送管路は、前記第１部分を含む。
【００４２】
前記第１流入ポートは、前記第１移送管路から突出してもよい。前記第１流入ポートは、前記第１下部吐出ポートより下側に位置してもよい。
【００４３】
前記第１上、下部吐出ポートは、前記第１移送管路から突出してもよい。
【００４４】
前記第１移送管路は、上側に行くほど前記ガスケットの中心を通る垂直線から離れる方向に傾斜し、少なくとも上端部が前記ガスケットボディの外周面から離隔された第１流入区間と、前記第１流入区間の上端部から上側に延長され、前記ガスケットボディの外周面から離隔された第１下部ポート区間とを含む。
【００４５】
前記第１流入ポートは、前記第１流入区間から突出してもよい。
【００４６】
前記第１下部吐出ポートは、前記第１下部ポート区間から突出してもよい。
【００４７】
前記第１移送管路は、前記ガスケットボディの外周面に対向する内側面と、前記内側面の反対側である外側面とを備える。
【００４８】
前記第１下部吐出ポートは、前記第１下部ポート区間の内側面から突出してもよい。
【００４９】
前記第１流入ポートは、前記第１流入区間の外側面から突出してもよい。
【００５０】
前記分配管は、前記ポンプから圧送された水を前記第１上、下部ポート挿入管とそれぞれ連通された第１上部ノズル及び第１下部ノズルに供給する第１分配管と、前記ポンプから圧送された水を前記第２上、下部ポート挿入管とそれぞれ連通された第２上部ノズル及び第２下部ノズルに供給する第２分配管とを含む。
【００５１】
その他、実施形態の具体的な事項は詳細な説明及び図面に含まれている。
【発明の効果】
【００５２】
本発明の洗濯機によれば、以下のような効果が１つ又はそれ以上存在する。
【００５３】
第１に、ガスケットの内周面上に備えられる複数のノズルを備えて洗濯物を均一に濡らすことができ、前記ポンプと複数のノズルを連結してポンプにより圧送された水を前記複数のノズルに供給する分配管を含むことにより、ポンプとノズルとの間の連結構造及び組立工程を単純化できる長所がある。
【００５４】
第２に、ガスケットは、ガスケットの外周面から突出し、ノズルと連通するホールが形成された複数のポート挿入管を備え、分配管は、ポンプから圧送された水を案内する移送管路と、前記移送管路からガスケット側に突出した吐出ポートとを含み、吐出ポートが配置されるポート領域は、前記ガスケットの外周面から前記ガスケットの外周側に離隔して、前記吐出ポートとポート挿入管が前記ポート領域とガスケットの外周面の離隔された間で結合されることにより、ノズルを備えるガスケットとポンプから圧送された水をノズルに案内する分配管が気密に連結できるという長所もある。
【００５５】
第３に、分配管をガスケットの外周面に配置して、ポンプから圧送された水をノズルに案内する分配管をガスケットに気密に連結させるとともに、タブ周辺の構造物との干渉を回避できるという長所もある。
【００５６】
本発明の効果は、以上で言及した効果に限定されるものではなく、言及されていない他の効果は請求の範囲の記載から当業者に明確に理解できるであろう。
【図面の簡単な説明】
【００５７】
【図１】本発明の一実施形態による洗濯機を示す斜視図である。
【図２】図１に示す洗濯機の断面図である。
【図３】本発明の第１実施形態による洗濯機の一部分を示す図である。
【図４】図３に示す組立体の分解斜視図である。
【図５】図４に示すガスケットの斜視図である。
【図６】図４に示すガスケットと分配管組立体の背面図である。
【図７】図６に示す組立体の正面図である。
【図８】図６に示す組立体の斜視図である。
【図９】図７のＩ−Ｉに沿って切開した断面図である。
【図１０】図４に示す分配管の正面図である。
【図１１】本発明の第２実施形態による洗濯機の一部分を示す図である。
【図１２】図１１に示すガスケットと分配管組立体の斜視図である。
【図１３】図１１に示す分配管の正面図である。
【発明を実施するための形態】
【００５８】
本発明の利点及び特徴、並びにそれらを達成する方法は、添付の図面とともに詳細に後述されている実施形態を参照すれば明確になるだろう。しかしながら、本発明は、以下で開示される実施形態に限定されるものではなく、他の多様な形態で実現でき、単に、本実施形態は、本発明の開示が完全になるようにし、本発明の属する技術分野において通常の知識を有する者に発明の範疇を完全に知らせるために提供されるものであり、本発明は請求項の範疇により定義されるだけである。明細書全体にわたって同一参照符号は同一構成要素を表す。
【００５９】
以下、本発明の実施形態により洗濯機を説明するための図面を参考にして本発明について説明する。
【００６０】
本発明の実施形態による洗濯機は、図１及び図２に示すように、外観を形成するケーシング１０と、洗濯水が溜まるタブ３０と、前記タブ３０内に回転可能に備えられて洗濯物が投入されるドラム４０とを含む。また、前記ドラムを回転させるモータ５０（以下、「駆動部」ともいう。）を含む。
【００６１】
ケーシング１０の前方面には、洗濯物投入口１２が形成された前方パネル１１が配置され、前記前方パネル１１には、前記洗濯物投入口１２を開閉するドア２０が配置され、洗剤が投入されるディスペンサ１４が設置される。
【００６２】
また、ケーシング１０の内部には給水弁１５、給水管１６、給水ホース１７が設置されて、給水時に給水弁１５、給水管１６を通過した洗濯水はディスペンサ１４において洗剤と混合された後、給水ホース１７を介してタブ３０に供給される。
【００６３】
一方、給水弁１５に直水供給管１８が連結されて直水供給管１８を介して洗濯水が洗剤と混合されずにタブ３０内に直接供給されることもある。
【００６４】
また、ポンプ７０と分配管８０が設置され、前記ポンプ７０とタブ３０は排出ホース７２により連結され、前記分配管８０と前記ポンプ７０は直結するか循環管８６により連結されてもよい。従って、ポンプ７０が作動すると、タブ３０内に溜まっていた洗濯水が分配管８０を介してドラム４０の内部に噴射されて循環される。前記ポンプ７０は、排水管７４と連結されて前記排水管７４を介して洗濯水を外部に排出することができる。
【００６５】
前記のように、本発明の実施形態による洗濯機のポンプ７０は、洗濯水を外部に排出させる排水ポンプと洗濯水を循環させる循環ポンプとしての機能を果たすが、これとは異なり、排水ポンプ及び循環ポンプが別個に設置されてもよく、排水ポンプと循環ポンプが別個に設置される場合は、排水ポンプに前記排水管７４が連結され、循環ポンプに前記循環管８６が連結されることが当然である。
【００６６】
一方、前記タブ３０は単一のタブ体として形成されてもよく、第１、第２タブ体３０ａ、３０ｂが互いに締結されて形成されてもよいため、本発明の実施形態においては、第１、第２タブ体３０ａ、３０ｂが締結されてタブ３０を形成することを例にして説明する。以下では、前記第１タブ体３０ａを単に「タブ３０」と称して説明する。
【００６７】
タブ３０はケーシング１０内に配置され、前記タブ３０の前方には、前方パネル１１に形成された洗濯物投入口１２に対応するように開口部３２（図４を参照）が形成される。
【００６８】
タブ３０内には洗濯物が収容されるドラム４０が回転可能に備えられる。ドラム４０は、洗濯物を収容し、洗濯物が投入される入口が前方面に位置するように配置され、略水平の回転中心線を中心に回転する。ただし、ここでいう「水平」は数学的に厳密な意味として使われた用語ではない。すなわち、実施形態のように回転中心線が水平に対して所定の角度で傾いている場合も、垂直よりは水平に近接するため、実質的に水平であるといえる。タブ３０内の水がドラム４０内に流入できるように、ドラム４０には多数の通孔が形成される。
【００６９】
ドラム４０の内側面には、複数のリフターが備えられてもよい。複数のリフターはドラム４０の中心に対して一定の角度で配置される。ドラム４０の回転時に、洗濯物がリフターにより持ち上げられてから落下することを繰り返される。
【００７０】
ドラム４０を回転させるための駆動部５０がさらに備えられてもよく、駆動部５０により回転される駆動軸がタブ３０の背面部を通過してドラム４０と結合されてもよい。
【００７１】
好ましくは、駆動部５０は直結式洗濯モータを含んで構成され、前記洗濯モータは、タブ３０の後方に固定されたステータと、前記ステータとの間に作用する磁力により回転されるロータとを含む。駆動軸は、ロータと一体で回転されてもよい。
【００７２】
図３及び図４に示すように、本発明の一実施形態による洗濯機は、ケーシング１０とタブ３０を連結するガスケット６０と、ドラム４０内に水を噴射するノズル６６、６７（図６を参照）と、タブ３０から排出された水を圧送するポンプ７０と、ポンプ７０により圧送された水を前記ノズル６６、６７に案内する分配管８０とを含む。また、タブ３０の前方面３１に配置されるバランサ９０と、ポンプ７０から圧送された水を分配管８０に案内する循環管８６を含んでもよい。
【００７３】
図３ないし図５及び図９に示すように、ガスケット６０は、ケーシング１０の洗濯物投入口１２とタブ３０の開口部３２を連結する通路６０Ｐを形成するガスケットボディ６１、６２を含む。ガスケット６０のボディ６１、６２の中心方向に向かう内側の周面を内周面６２といい、これと反対側の外側の周面を外周面６１といえる。
【００７４】
ガスケットボディの内周面６２は、前記洗濯物投入口１２と前記開口部３２とを連結する通路６０Ｐを形成する。ガスケットボディの外周面６１はバランサ９０の内側の周面と対向する。ガスケット６０ボディの外周面６１は分配管８０と対向する。
【００７５】
前記洗濯物投入口１２を形成する前方パネル１１の投入口１２の枠と前記開口部３２を形成するタブ３０の開口部３２の枠との間にガスケット６０が配置されて、前記タブ３０に溜まった洗濯水がタブ３０から漏洩することが防止される。
【００７６】
これをより詳しく説明すると、ガスケット６０は、ゴムのような柔軟性を有する材質で形成され、略円筒形（以下、管状ともいう。）からなる。例えば、ガスケット６０は、ＥＰＤＭ（Ｅｔｈｙｌｅｎｅ  Ｐｒｏｐｙｌｅｎｅ  Ｄｉｅｎｅ  Ｍｏｎｏｍｅｒ）、ＴＰＥ（Ｔｈｅｒｍｏ  Ｐｌａｓｔｉｃ  Ｅｌａｓｔｏｍｅｒ）などの材質からなってもよいが、これに限定されるものではない。
【００７７】
ガスケット６０の前方縁部が前方パネル１１の前記投入口１２の枠に連結され、ガスケット６０の後方縁部がタブ３０の前記開口部３２の枠に連結されて、ガスケット６０の前、後方縁部を連結するボディ部６１、６２は洗濯物投入通路６０Ｐを形成し、タブと前方パネルとの間が密封され、ドア２０が閉まる場合、ドア２０とガスケット６０の先端部が密着して、ドア２０とガスケット６０との間が密封されるので、洗濯水の漏洩が防止される。
【００７８】
ガスケット６０は、前端部と後端部がそれぞれ環状となり、前記前端部から前記後端部に延長される管状の形態である。ガスケット６０の前記前端部はケーシング１０に固定され、前記後端部はタブ３０の入口周り３３に固定される。ガスケット６０は、柔軟性又は弾力性を有する材質からなってもよい。ガスケット６０は、天然ゴム又は合成樹脂からなってもよい。
【００７９】
ガスケット６０は、ケーシング１０の投入口１２の周りに結合されるケーシング結合部６８ａと、タブ３０の入口周り３３に結合されるタブ結合部６８ｂと、ケーシング結合部６８ａとタブ結合部６８ｂとの間で延長されるガスケットボディ６１、６２とを含む。
【００８０】
ケーシング結合部６８ａとタブ結合部６８ｂはそれぞれ環形からなり、ボディ部はケーシング結合部６８ａと連結される環形の前端部からタブ結合部６８ｂと連結される環形の後端部を有し、前記前端部から前記後端部へ延長される管状の形態からなってもよい。
【００８１】
前方パネル１１は、投入口１２の周りが外側に巻かれており、このように巻かれた部分により形成された凹部内にケーシング結合部６８ａが嵌め込まれる。
【００８２】
ケーシング結合部６８ａには、針金が巻かれる環形の溝が形成されてもよい。溝に沿って針金が巻かれた後、針金の両端が結束されることにより、ケーシング結合部６８ａが投入口１２の周りに強固に固定される。
【００８３】
タブ３０は、タブ３０の開口部３２を形成する入口周り３３が前方面３１から突出して外側に巻かれており、このように巻き込まれている部分により形成された凹部分内にタブ結合部６８ｂが嵌め込まれる。タブ結合部６８ｂには、針金により形成されたクランプが巻かれる環状の溝が形成される。ガスケットのタブ結合部６８ｂがタブの入口周り３３に結合され、前記溝に沿ってクランプが巻かれた後、クランプの両端が結束されることにより、タブ結合部６８ｂがタブ３０の入口周り３３に強固に固定される。
【００８４】
一方、ケーシング結合部６８ａは前方パネル１１に固定されるが、タブ結合部６８ｂは、タブ３０の動きに応じて変位する。従って、ボディ部は、タブ結合部６８ｂの変位に対応して変形が行わなければならない。このような変形が円滑に行われるように、ガスケット６０は、ケーシング結合部６８ａとタブ結合部６８ｂとの間の区間（又は、ボディ部）に、タブ３０が偏心により移動される方向（又は、半径方向）に移動されるにつれて折り畳まれる折り畳み部６１ｂが形成される。
【００８５】
ガスケットボディ６１、６２は、ケーシング１０（又は、ケーシング結合部６８ａ）からタブ３０（又は、タブ結合部６８ｂ）に向かって（又は、後方に向かって）延長される管状の第１平坦部６１ａと、第１平坦部６１ａから外側に折曲された上で、前記ケーシング１０に向かって延長され、更に外側に折曲された折り畳み部６１ｂと、折り畳み部６１ｂからタブ３０の方向に延長され、第１平坦部６１ａより外径が大きい第２平坦部６１ｃとを含む。
【００８６】
図６及び図７に示すように、ノズル６６、６７はガスケット６０の内周面６２上に複数備えられる。ノズル６６、６７は、上部ノズル６６ａ、６７ａと上部ノズル６６ａ、６７ａより下側に備えられる下部ノズル６６ｂ、６７ｂを含む。上部ノズル６６ａ、６７ａは、ガスケット６０の中心より上側に配置され、下部ノズル６６ｂ、６７ｂは、ガスケット６０の中心より下側に配置される。
【００８７】
複数のノズル６６、６７は、前記ガスケットボディ６１、６２を左右に配分した第１、第２領域のうち前記第１領域に配置される第１ノズル６６と、前記第２領域に配置される第２ノズル６７とを含む。第１ノズル６６はガスケットの内周面６２の左側に配置され、第２ノズル６７はガスケットの内周面６２の右側に配置される。
【００８８】
第１ノズル６６及び第２ノズル６７はそれぞれ複数備えられる。本発明の実施形態においては、第１ノズル６６及び第２ノズル６７はそれぞれ２つずつ備えられているが、必ずしもこれに限定されるものではない。
【００８９】
第１ノズル６６は、前記第１領域に上下に配置される第１上部ノズル６６ａ及び第１下部ノズル６６ｂを含む。第１下部ノズル６６ｂはガスケット６０の中心より下側に配置され、第１上部ノズル６６ａは前記第１下部ノズル６６ｂより上側に配置される。前記第１上部ノズル６６ａは、前記ガスケット６０の中心より上側に配置される。
【００９０】
第２ノズル６７は、前記第２領域に上下に配置される第２上部ノズル６７ａ及び第２下部ノズル６７ｂを含む。第２下部ノズル６７ｂはガスケット６０の中心より下側に配置され、第２上部ノズル６７ａは前記第２下部ノズル６７ｂより上側に配置される。前記第２上部ノズル６７ａは、前記ガスケット６０の中心より上側に配置される。
【００９１】
第１、第２下部ノズル６６ｂ、６７ｂはドラム４０内に循環水を噴射するが、上向きに噴射することができる。第１、第２上部ノズル６６ａ、６７ａはドラム４０内に循環水を噴射するが、下向きに噴射することができる。前記循環水とは、タブ３０から排出されてポンプ７０により圧送され、分配管８０に案内され、ノズル６６、６７を介してドラム４０内に噴射される水を意味する。
【００９２】
ガスケット６０にはドラム４０内に水を噴射する直水ノズルが備えられ、給水部を介して供給された水を直水ノズルに案内する直水供給管１８が備えられる。直水ノズルは、渦流ノズル又は噴霧ノズルであってもよいが、必ずしもこれに限定されるものではない。直水ノズルは、前方から見ると、垂直線（ＯＶ）上に配置される。ウィンドウ２２は、直水ノズルよりさらにドラム４０に向かって突出しており、直水ノズルを介して噴射された水流がウィンドウ２２に届くことがあり、この場合、ウィンドウ２２が洗浄される効果がある。
【００９３】
図５及び図６に示すように、ガスケット６０は、ノズル６６、６７と連通するポート挿入管６３、６４を備える。ポート挿入管６３、６４はガスケットボディの外周面６１から突出して形成される。後述する吐出ポート８３、８４がポート挿入管６３、６４に挿入され、ポート挿入管６３、６４はガスケット６０の外周面６１から突出形成されて分配管８０からノズル６６、６７に供給される水がポート挿入管６３、６４と吐出ポート８３、８４との間に漏れることを防止できる。
【００９４】
前記ポート挿入管６３、６４は、前述のノズル６６、６７と同様に複数備えられ、ノズル６６、６７と同数である。複数のポート挿入管６３、６４は、ガスケットボディ６１、６２を左右に配分した第１、第２領域のうち前記第１領域に配置される第１ポート挿入管６３と、前記第２領域に配置される第２ポート挿入管６４とを含む。
【００９５】
第１ポート挿入管６３は第１ノズル６６と連通し、第２ポート挿入管６４は第２ノズル６７と連通する。第１ポート挿入管６３はガスケットボディの外周面６１の左側に配置され、第２ポート挿入管６４はガスケットボディの外周面６１の右側に配置される。
【００９６】
第１ポート挿入管６３は、第１領域に上下に配置される第１上部ポート挿入管６３ａ及び第１下部ポート挿入管６３ｂを含む。第１下部ポート挿入管６３ｂはガスケット６０の中心より下側に配置され、第１上部ポート挿入管６３ａは前記第１下部ポート挿入管６３ｂより上側に配置される。前記第１上部ポート挿入管６３ａは、前記ガスケット６０の中心より上側に配置される。
【００９７】
第１下部ポート挿入管６３ｂは第１下部ノズル６６ｂと連通し、第１上部ポート挿入管６３ａは第１上部ノズル６６ａと連通する。第１上部ポート挿入管６３ａと第１下部ポート挿入管６３ｂは、互いに平行方向に突出する。
【００９８】
第２ポート挿入管６４は、第２領域に上下に配置される第２上部ポート挿入管６４ａ及び第２下部ポート挿入管６４ｂを含む。第１下部ポート挿入管６４ｂはガスケット６０の中心より下側に配置され、第２上部ポート挿入管６４ａは前記第２下部ポート挿入管６４ｂより上側に配置される。前記第２上部ポート挿入管６４ａは、前記ガスケット６０の中心より上側に配置される。
【００９９】
第２下部ポート挿入管６４ｂは第２下部ノズル６７ｂと連通し、第２上部ポート挿入管６４ａは第２上部ノズル６７ａと連通する。第２上部ポート挿入管６４ａと第２下部ポート挿入管６４ｂは、互いに平行方向に突出する。
【０１００】
第１、第２ノズル６６、６７の上部ノズル６６ａ、６７ａ及び第１、第２ポート挿入管６３、６４の上部ポート挿入管６３ａ、６４ａは、ガスケット６０の中心を通る水平線より上側に位置する。第１、第２ノズル６６、６７の下部ノズル６６ｂ、６７ｂ及び第１、第２ポート挿入管６３、６４の下部ポート挿入管６３ｂ、６４ｂは、ガスケット６０の中心を通る水平線より下側に位置する。ドラム４０に収容された洗濯物に円滑に水を噴射し、ドラム４０のいずれの位置にある洗濯物にも均一に水を噴射するために、下部ノズル６６ｂ、６７ｂとガスケット６０の中心を通る水平線との間の距離は、上部ノズル６６ａ、６７ａと前記水平線との間の距離より近くてもよい。従って、下部ポート挿入管６３ｂ、６４ｂと前記水平線との間の距離は、上部ポート挿入管６３ａ、６４ａと前記水平線との間の距離より近くてもよい。
【０１０１】
ドラム４０に収容された洗濯物は、重力によりドラム４０の内部の下側にたまり、下部ノズル６６ｂ、６７ｂは、ドラム４０に収容された洗濯物に円滑に水を噴射するためにガスケット６０の最低点から相当な高さまで離隔して配置されなければならない。例えば、下部ノズル６６ｂ、６７ｂ、ガスケット６０の中心及びガスケット６０の最低点のなす角度は４５度以上であり得る。また、下部ポート挿入管６３ｂ、６４ｂは、ガスケット６０の中心及びガスケット６０の最低点のなす角度は４５度以上であり得る。
【０１０２】
ドラム４０に収容された洗濯物に均一に水を噴射するために、上部ノズル６６ａ、６７ａは下部ノズル６６ｂ、６７ｂと相当な距離を離隔して配置されなければならない。例えば、上部ノズル６６ａ、６７ａ及びガスケット６０の中心を通る直線とガスケット６０の中心を通る水平線がなす角度は３０度以上であり得る。また、上部ポート挿入管６３ａ、６４ａ及びガスケット６０の中心を通る直線とガスケット６０の中心を通る水平線がなす角度は３０度以上であり得る。
【０１０３】
図６及び図７に示すように、ガスケットの内周面６２には、ポート挿入管６３、６４に対応する部位に突出部６５が内側に向かって突出し、前記突出部６５にノズル６６が形成される。
【０１０４】
突出部６５は、第１上、下部ポート挿入管６３ａ、６３ｂ及び第２上、下部ポート挿入管６４ａ、６４ｂに対応する部位に内側に向かって突出する第１ないし第４突出部６５ａ、６５ｂ、６５ｃ、６５ｄを含む。第１ないし第４突出部６５ａ、６５ｂ、６５ｃ、６５ｄには、それぞれ第１上、下部ノズル６６ａ、６６ｂ及び第２上、下部ノズル６７ａ、６７ｂが形成される。
【０１０５】
図８、図９及び図１２に示すように、ガスケット６０はガスケットボディの外周面６１に隣接する部分より内側に入った陥没部６１０を含む。陥没部６１０には分配管８０の少なくとも一部分が位置する。陥没部６１０には、移送管路８１、８２の少なくとも一部分が位置する。
【０１０６】
陥没部６１０は陥没部６１０の前方側に隣接した部分より内側に入るように形成される。陥没部６１０は、前記ガスケットボディの外周面６１の一部が内側に陥没して形成されてもよく、前記ガスケットボディの外周面６１に周辺より外側に突出した隆起部６１ｄが形成され、隆起部６１ｄの一側（後方側）に形成されてもよい。
【０１０７】
ガスケットボディの外周面６１にリブ６１５が形成されてもよい。リブ６１５は、ガスケットボディの外周面６１からガスケット６０の半径方向に突出する。すなわち、リブ６１５は、ガスケット６０のボディの外周面６１の接線と直交される方向に延長されて形成される。
【０１０８】
分配管８０は、少なくとも一部分がリブ６１５に接触するように配置されてもよい。分配管８０のうち移送管路８１、８２の少なくとも一部分がリブ６１５に接触する。分配管８０は少なくとも一部分が陥没部６１０に位置するため、リブ６１５は陥没部６１０に形成される。
【０１０９】
図６ないし図１０に示すように、分配管８０は、ポンプ７０から圧送された水を案内する移送管路８１、８２と、移送管路８１、８２からガスケット６０側に突出し、ポート挿入管６３、６４と結合される吐出ポート８３、８４とを含む。また、分配管８０は、ポンプ７０から吐出された水が流入する流入ポート８５を含み、移送管路８２は流入ポート８５を介して流入した水を吐出ポート８３、８４に案内する。
【０１１０】
分配管８０の移送管路８１、８２は、ガスケットボディの外周面６１に配置される。分配管８０は、吐出ポート８３、８４がポート挿入管６３、６４に挿入されてガスケット６０に結合される。分配管８０の移送管路８１、８２は、ガスケットボディの外周面６１とバランサ９０の間に配置される。これにより、分配管８０は、別途の空間を確保する必要がなく設置されることができる。
【０１１１】
分配管８０は、ガスケット６０より硬質又は硬直性の合成樹脂で形成されてもよい。分配管８０は、洗濯機の作動過程で発生する振動にもかかわらず一定の形態を維持するものであり、特に、タブ３０の振動に対応して変形が発生する柔軟性を有するガスケット６０と比較すると、分配管８０は相対的に剛体に近いと言える。
【０１１２】
また、循環管８６は、タブ３０の振動に対応して変形する柔軟なものであってもよく、この場合、分配管８０は、循環管８６より硬質又は硬直性の合成樹脂で形成されてもよい。
【０１１３】
本発明の第１実施形態による洗濯機の分配管８０は、大略に上側部８８が開口したリング形状に形成されてもよい。すなわち、分配管８０は、ポンプ７０からポンピングされた水が流入する流入ポート８５と、前記流入した水をドラム４０の内部に噴射されるように吐出する１つ以上の吐出ポート８３、８４と、前記流入ポート８５と吐出ポート８３、８４を連結する移送管路８１、８２とを備え、移送管路８１、８２の左側管路部８１の一端と右側管路部８２の一端は流入ポート８５が備えられた地点において互いに連結されており、左側管路部８１の他端と前記右側管路部８２の他端は互いに分離される。
【０１１４】
移送管路８１、８２の下側部に流入ポート８５が下側方向に突出形成され、分配管８０の左、右側にそれぞれ吐出ポート８３、８４が内側方向（又は、ガスケット側）に突出形成される。前記流入ポート８５とポンプ７０に形成された循環ポート７８との間に循環管８６が配置されて、タブ内の洗濯水が前記循環管８６を介して前記流入ポート８５に流入される。
【０１１５】
複数の吐出ポート８３、８４は、ガスケット６０の上部ポート挿入管６３ａ、６４ａと結合する上部吐出ポート８３ａ、８４ａと、ガスケット６０の下部ポート挿入管６３ｂ、６４ｂと結合する下部吐出ポート８３ｂ、８４ｂとを含む。上部吐出ポート８３ａ、８４ａと下部吐出ポート８３ｂ、８４ｂは、移送管路８１、８２からガスケットボディ６１、６２側に突出するが、互いに並んでいる方向（又は、平行方向ともいう。）に突出する。上部吐出ポート８３ａ、８４ａと下部吐出ポート８３ｂ、８４ｂはガスケットの中心を通る水平線と平行方向に突出する。
【０１１６】
流入ポート８５は、複数の吐出ポート８３、８４のいずれよりも下側において移送管路８１、８２と連結される。流入ポート８５は下部吐出ポート８３ｂ、８４ｂより下側において移送管路８１、８２と連結される。
【０１１７】
移送管路８１、８２は、流入ポート８５を基準に移送管路８１、８２の左側部を形成する第１管路部８１と、右側部を形成する第２管路部８２とを含む。第１管路部８１と第２管路部８２は下側において互いに連結され、第１、第２管路部が互いに連結された地点から流入ポート８５が下側に突出する。
【０１１８】
移送管路８１、８２は、流入ポート８５から流入した循環水を分枝させて、第１部分流（第１管路部８１に沿って流れる水）と第２部分流（第２管路部８２に沿って流れる水）を形成させる。第１部分流は第１ノズル６６を介してドラム４０内に噴射され、第２部分流は第２ノズル６７を介してドラム４０内に噴射される。
【０１１９】
移送管路８１、８２は、ガスケット６０とバランサ９０との間に配置される。移送管路８１、８２は、内側面がガスケットボディの外周面６１と対向し、外側面がバランサ９０と対向して配置される。
【０１２０】
図１０に示すように、本発明の第１実施形態による洗濯機の移送管路８１、８２は、全体として中心角の大きさが１８０度以上である、上側が開口した弧形状に形成されてもよく、左右対称に形成されてもよい。移送管路８２は、左側に配置される第１管路部８１と右側に配置される第２管路部８２とを含み、第１管路部８１と第２管路部８２は、ガスケット６０の中心を通る垂直線（ＯＶ）を基準に左右対称に形成されてもよい。
【０１２１】
分配管８０は、移送管路８１、８２がガスケットボディの外周面６１に配置され、吐出ポート８３、８４がポート挿入管６３、６４に挿入されて、ガスケット６０と結合される。吐出ポート８３、８４は、移送管路８１、８２からガスケットボディ６１、６２側に突出し、ポート挿入管６３、６４はガスケットボディの外周面６１から突出する。従って、分配管８０とガスケット６０との間に結合空間が必要である。
【０１２２】
特に、本発明の第１実施形態による洗濯機の移送管路８１、８２は、下部吐出ポート８３ｂ、８４ｂが配置された部分とガスケットボディの外周面６１、６２を離隔させるために独特な形状を有する。
【０１２３】
前述したように、下部ポート挿入管６３ｂ、６４ｂとガスケットの中心を通る水平線との間の距離は、上部ポート挿入管６３ａ、６４ａとガスケットの中心を通る水平線との間の距離より近い。従って、移送管路８１、８２の上部吐出ポート８３ａ、８４ａが配置された部分８１ａは、その下側部分８１ｃから上側に折曲されることにより吐出ポート８３ａ、８４ａとポート挿入管６３ａ、６４ａの結合空間を十分確保することができる。これとは異なり、移送管路８１、８２の下部吐出ポート８３ｂ、８４ｂが配置された部分８１ｂは、その下側部分８１ｆからいずれか一側に折曲されることにより前記結合空間を十分に確保することができない。
【０１２４】
移送管路８１、８２は、ガスケットボディの外周面６１から離隔された部分８１ｂ、８２ｂを含み、前記離隔された部分に下部吐出ポート８３ｂ、８４ｂを配置することができる。第１管路部８１に離隔された部分を第１部分８１ｂといい、第２管路部８２に離隔された部分を第２部分８２ｂといってもよい。第１下部吐出ポート８３ｂは前記第１部分８１ｂから突出し、第２下部吐出ポート８３ｂは前記第２部分８２ｂ、８２ｂから突出する。
【０１２５】
下部吐出ポート８３ｂ、８４ｂと下部ポート挿入管６３ｂ、６４ｂが結合される空間を確保するために、移送管路８１、８２は下側部８１ｆ、８２ｆの上端においてガスケットボディ６１、８２から離れる方向に折曲された折曲区間８１ｅ、８２ｅと、折曲区間８１ｅ、８２ｅから上側に折曲された部分８１ｂに下部吐出ポート８３ｂ、８４ｂを配置することができる。
【０１２６】
以下、移送管路８１、８２の全体形状について説明する。
【０１２７】
移送管路８１、８２は、吐出ポート８３、８４（以下、８３ともいう）が配置されるポート区間８１ａ、８１ｂ、８２ａ、８２ｂとそれ以外の区間である案内区間８１ｃ〜８１ｆ、８２ｃ〜８２ｆに区分される。
【０１２８】
吐出ポート８３、８４は、ポート区間８１ａ、８１ｂ、８２ａ、８２ｂからガスケット側の方向に突出する。ポート区間８１ａ、８１ｂ、８２ａ、８２ｂは、吐出ポート８３、８４が突出する内側面を備える。吐出ポート８３、８４は、ポート区間８１ａ、８１ｂ、８２ａ、８２ｂの内側面からガスケット側の方向に突出する。前記ポート区間８１ａ、８１ｂ、８２ａ、８２ｂの内側面、すなわち、後述する上部ポート区間８１ａ、８２ａの内側面と下部ポート区間８１ｂ、８２ｂの内側面は互いに平行に形成されてもよい。
【０１２９】
ポート区間８１ａ、８１ｂ、８２ａ、８２ｄは上部ポート区間８１ａ、８２ａ、下部ポート区間８１ｂ、８２ｂを含む。案内区間８１ｃ〜８１ｆ、８２ｃ〜８２ｆは下部案内区間８１ｆ、折曲区間８１ｅ、中間案内区間８１ｄ及び上部案内区間８１ｃを含む。
【０１３０】
以下、移送管路８１、８２の形状を上側から下側に説明する。
【０１３１】
移送管路８１、８２（以下、８１ともいう）は、上部吐出ポート８３ａ、８４ａ（以下、８３ａともいう）が配置される上部ポート区間８１ａ、８２ａ（以下、８１ａともいう）と、上部ポート区間８１ａの下側に弧形状に延長形成された上部案内区間８１ｃ、８２ｃ（以下、８１ｃともいう）と、上部案内区間８１ｃの下側に下方に行くほどガスケット６０の外周面６１から離れる中間案内区間８１ｄ、８２ｄ（以下、８１ｄともいう）と、中間案内区間８１ｄの下側に配置される下部ポート区間８１ｂ、８２ｂ（以下、８１ｂともいう）と、下部ポート区間８１ｂの下側から下方に行くほどガスケット６０の中心を通る垂直線（ＯＶ）に近づくように曲がった折曲区間８１ｅ、８２ｅ（以下、８１ｅともいう）と、折曲区間８１ｅの下側から弧形状に延長形成された下部案内区間８１ｆ、８２ｆ（以下、８１ｆともいう）とを備える。
【０１３２】
以下、移送管路８１、８２の形状を下側から上側に説明する。
【０１３３】
移送管路８１、８２は、弧形状の下部案内区間８１ｆ、８２ｆを含む。流入ポート８５は、下部案内区間８１ｆ、８２ｆから下側に突出し、第１管路部８１の下部案内区間８１ｆと第２管路部８２の下部案内区間８２ｆは流入ポート８５が配置される区間において相互に連結される。第１管路部８１の下部案内区間８１ｆは、ガスケットボディ６１、６２の第１領域の外周面に沿って弧形状に延長され、第２管路部８２の下部案内区間８２ｆはガスケットボディ６１、６２の第２領域の外周面に沿って弧形状に延長される。流入ポート８５を介して流入した水は、左右両側に分枝されて前記第１、第２管路部８２の下部案内区間８１ｆ、８２ｆにより上側に案内される。
【０１３４】
移送管路８１、８２は、下部案内区間８１ｆ、８２ｆの上端部においてガスケットボディ６１、６２から離れる方向に折曲された折曲区間８１ｅ、８２ｅを含む。下部案内区間８１ｆ、８２ｆの上端部及び折曲区間８１ｅ、８２ｅの下部案内区間８１ｆ、８２ｆ側の一端部はガスケットボディの外周面６１と接触し、下部案内区間８１ｆ、８２ｆの他端部はガスケットボディの外周面６１から離隔される。または、下部案内区間８１ｆ、８２ｆの他端部とガスケットボディの外周面６１との間の離隔距離は、折曲区間８１ｅ、８２ｅの一端部とガスケットボディの外周面６１との間の離隔距離よりも遠くなってもよい。
【０１３５】
移送管路８１、８２は、ガスケットボディの外周面６１から離隔された下部ポート区間８１ｂ、８２ｂを含む。前記第１、第２部分は、前記下部ポート区間８１ｂ、８２ｂを意味する。下部ポート区間８１ｂ、８２ｂは折曲区間８１ｅ、８２ｅから上側に延長されて、ガスケットボディの外周面６１から離隔される。下部吐出ポート８３ｂ、８４ｂは下部ポート区間８１ｂ、８２ｂから突出する。従って、移送管路８１、８２とガスケットボディの外周面６１との間に下部吐出ポート８３ｂ、８４ｂと下部ポート挿入管６３ｂ、６４ｂの結合空間が設けられる。
【０１３６】
移送管路８１、８２は、少なくとも一部分がガスケットボディの外周面６１から離隔された上部ポート区間８１ａ、８２ａを含む。上部ポート８３ａ、８４ａは上部ポート区間８１ａ、８２ａから突出する。
【０１３７】
前述したように、下部ポート挿入管６３ｂ、６４ｂとガスケット中心を通る水平線との間の距離は、上部ポート挿入管６３ａ、６４ａとガスケット中心を通る水平線との間の距離より近い。従って、下部ポート挿入管６３ｂ、６４ｂとガスケットボディ６１、６２の中心を通る垂直線（ＯＶ）との間の距離は、上部ポート挿入管６３ａ、６４ａと前記垂直線（ＯＶ）との間の距離より近い。これに対応して、下部ポート区間８１ｂ、８２ｂと前記垂直線（ＯＶ）との間の距離は、上部ポート区間８１ａ、８２ａと前記垂直線（ＯＶ）との間の距離より遠い。
【０１３８】
移送管路８１、８２は、下部ポート区間８１ｂ、８２ｂと上部ポート区間８１ａ、８２ａの間に中間案内区間８１ｄ、８２ｄ及び上部案内区間８１ｃ、８２ｃを含む。中間案内区間８１ｄ、８２ｄは、下部ポート区間８１ｂ、８２ｂから上側に延長される。中間案内区間８１ｄ、８２ｄは、下部ポート区間８１ｂ、８２ｂからガスケットボディ６１、６２の中心に該当する高さまで延長され、ガスケットボディ６１、６２の中心を通る垂直線（ＯＶ）と平行に延長される。
【０１３９】
上部案内区間８１ｃ、８２ｃは中間案内区間８１ｄ、８２ｄの上端部から弧状に延長される。上部案内区間８１ｃ、８２ｃは中間案内区間８１ｄ、８２ｄの上端部からガスケットボディの外周面６１に沿って弧形状に延長される。
【０１４０】
上部ポート区間８１ａ、８２ａは、上部案内区間８１ｃ、８２ｃの上端部においてガスケットボディ６１、６２から離れる方向に折曲される。従って、上部ポート区間８１ａ、８２ａは、下端部がガスケットボディの外周面６１、６２と接触しても、少なくとも一部分がガスケットボディの外周面６１から離隔される。
【０１４１】
上部ポート区間８１ａ、８２ａは移送管路の左右両側の上端を構成し、第１管路部の上部ポート区間８１ａ及び第２管路部の上部ポート区間８２ａは互いに分離されることができる。
【０１４２】
以下、移送管路８１の形状を左上端から反時計回りに沿って詳しく説明する。
【０１４３】
移送管路８１は、上部ポート挿入管６３ａ、６４ａ（以下、６３ａともいう）に挿入される上部吐出ポート８３ａが配置される上部ポート区間８１ａを備える。上部ポート区間８１ａは、移送管路８１の上側端部を構成する。
【０１４４】
上部ポート区間８１ａは、上部吐出ポート８３ａの突出方向と垂直な内側面を備える。従って、図１０に示すように、上部吐出ポート８３ａが水平に突出した場合、上部ポート区間８１ａはガスケット６０の中心を通る垂直線（ＯＶ）と平行な内側面を備える。上部ポート区間８１ａは、下側に行くほど内側面と離れる方向に傾斜した外側面を備える。
【０１４５】
移送管路８１は、上部ポート区間８１ａの下側に弧形状の上部案内区間８１ｃを備える。上部案内区間８１ｃは、中心角のサイズが９０度未満である弧形状に形成される。上部案内区間８１ｃは、上部ポート区間８１ａの下側からガスケット６０の中心に該当する高さまで弧形状に延長形成される。従って、上部案内区間８１ｃの最下部は接線が垂直線（ＯＶ）と平行な方向であり得る。
【０１４６】
上部案内区間８１ｃの中心角は、２０°ないし５０°の範囲であってもよい。上部案内区間８１ｃの上側に上部ポート区間８１ａが配置され、これから吐出ポート８３ａが突出して上部ノズル６６ａに水を供給するので、ガスケット６０の内周面６２上において上部ノズル６６ａが配置される位置はこれと類似している。
【０１４７】
移送管路８１は、上部案内区間８１ｃから下側に延長形成された中間案内区間８１ｄを備える。中間案内区間８１ｄは上部案内区間８１ｃの下側から下方向に延長形成される。中間案内区間８１ｄはガスケット６０の外周面６１から離隔する。
【０１４８】
中間案内区間８１ｄと折曲区間８１ｅは下部ポート区間８１ｂをガスケット６０の外周面６１から離隔させるための部分である。
【０１４９】
中間案内区間８１ｄは、上部案内区間８１ｃの曲率半径より大きい曲率半径を有するか、上部案内区間８１ｃから垂直線（ＯＶ）と平行な方向に延長形成されてもよい。中間案内区間８１ｄは、後述する下部ポート区間８１ｅの内側面と平行な方向に延長形成される。中間案内区間８１ｄは、下側に行くほどガスケット６０の外周面６１から遠くなる。
【０１５０】
中間案内区間８１ｄは、上部案内区間８１ｃと下部ポート区間８１ｄを連結する。
【０１５１】
移送管路８１は、中間案内区間８１ｄの下側に下部ポート区間８１ｂを備える。下部ポート区間８１ｂは、中間案内区間８１ｄの下側から中間案内区間８１ｄと同じ方向に延長形成される。
【０１５２】
上部ポート区間８１ａと下部ポート区間８１ｂの間に上部案内区間８１ｃと中間案内区間８１ｄが備えられる。
【０１５３】
一方、移送管路８１は、吐出ポート８３がガスケット６０に結合されてその位置が固定され、吐出ポート８３がガスケット６０に挿入されることにより結合される。だたし、ガスケット６０は、タブ３０とケーシング１０を密封及び連結する構成であり、吐出ポート８３が挿入されて移送管路８１を固定するのに厚みが十分でない可能性がある。従って、ガスケット６０は外周面６１から突出したポート挿入管６３、６４（以下、６３ともいう）を備え、吐出ポート８３がポート挿入管６３に挿入されることにより、移送管路８１がガスケット６０の外周面６１に脱去することなく配置されることができる。
【０１５４】
移送管路８１の内側面とガスケット６０の外周面６１との間に前記ポート挿入管６３が備えられるス空間が必要である。上部ポート区間８１ａは、上部案内区間８１ｃから上側に行くほどガスケット６０の外周面６１と離れる内側面を備え、下部ポート区間８１ｂは、中間案内区間８１ｄと折曲区間８１ｅとの間に備えられることにより下部ポート区間８１ｂとガスケットの外周面６１との間に下部吐出ポート８３ｂ、８４ｂ（以下、８３ｂともいう）及び下部ポート挿入管６３ｂ、６４ｂ（以下、６３ｂともいう）が配置される空間が設けられる。
【０１５５】
下部ポート区間８１ｂは、下部吐出ポート８３ｂが突出した方向と垂直な内側面を備える。下部ポート区間８１ｂは、前記内側面と平行な外側面を備える。
【０１５６】
移送管路８１は、下部ポート区間８１ｂの下側に、下方に行くほどガスケット６０の中心を通る垂直線（ＯＶ）に近づく方向に曲がった折曲区間８１ｅを備える。折曲区間８１ｅは、下部ポート区間８１ｂと後述する下部案内区間８１ｆの間に延長形成される。
【０１５７】
本発明の第１実施形態による洗濯機の移送管路８１は、折曲区間８１ｅの下側に弧形状の下部案内区間８１ｆ、８２ｆを備える。下部案内区間８１ｆ、８２ｆは移送管路８１、８２の下部を形成する。
【０１５８】
下部案内区間８１ｆ、８２ｆは、移送管路８１、８２の左側部に位置する折曲区間８１ｅから弧形状に延長形成され、ガスケット６０の中心を通る垂直線（ＯＶ）を通って移送管路８１、８２の右側部に位置する折曲区間８２ｅまで弧形状に延長形成される。第１管路部８１の下部案内区間８１ｆと第２管路部８２の下部案内区間８２ｆは、移送管路８１、８２の下部、すなわち、流入ポート８５が形成された部分において互いに会って１つの下部案内区間８１ｆ、８２ｆを形成する。従って、第１管路部８１と第２管路部８２は、互いに連結して１つの移送管路８１、８２を形成する。
【０１５９】
下部案内区間８１ｆ、８２ｆは中心角のサイズが１８０°未満である弧形状に形成され、ガスケット６０の中心を通る垂直線（ＯＶ）を基準に左右対称形に形成される。下部案内区間８１ｆ、８２ｆの中心角は１２０°以上、１８０°未満であってもよい。
【０１６０】
前述したように、移送管路８１、８２は左右対称形に形成され、移送管路８１の右側部８２は、反時計方向に沿って、下部案内区間８２ｆの上側に上方に行くほどガスケット６０の中心を通る垂直線（ＯＶ）から離れる方向に曲がった折曲区間８２ｅと、折曲区間８２ｅの上側に配置される下部ポート区間８２ｂと、下部ポート区間８２ｂの上側に中間案内区間８２ｄと、中間案内区間８２ｄの上側に弧形状の上部案内区間８２ｃと、上部案内区間の上側に上部ポート区間８２ａとを備える。
【０１６１】
一方、上、下部ポート区間８１ａ、８１ｂ、８２ａ、８２ｂはガスケット６０の外周面６１から離隔され、上部案内区間８１ｂ、８２ｂと下部案内区間８１ｆ、８２ｆは少なくとも一部分が前記ガスケットの外周面に接触する。
【０１６２】
または、上、下部案内区間８１ｂ、８２ｂ、８１ｆ、８２ｆがガスケットの外周面からガスケットの外側方向に離隔されてもよい。ただし、この場合、上、下部ポート区間８１ａ、８１ｂ、８２ａ、８２ｂとガスケット６０外周面６１の間の離隔距離が上、下部案内区間８１ｂ、８２ｂ、８１ｆ、８２ｆとガスケット６０外周面６１の間の離隔距離より大きいことがある。
【０１６３】
このような構造において、分配管８０とタブ３０の前方面３１に配置される他の構造物（例えば、バランサ９０）の干渉を防止するとともに、吐出ポート８３、８４とポート挿入管６３、６４が結合される空間を設けることができる。
【０１６４】
前述したように、移送管路８１、８２は、左側に配置される第１管路部８１と右側に配置される第２管路部８２を含み、第１管路部８１を構成する上部ポート区間８１ａ、上部案内区間８１ｃ、中間案内区間８１ｄ、下部ポート区間８１ｂ、折曲区間８１ｅ及び下部案内区間８１ｆをそれぞれ第１上部ポート区間８１ａ、第１上部案内区間８１ｃ、第１中間案内区間８１ｄ、第１下部ポート区間８１ｂ、第１折曲区間８１ｅ及び第１下部案内区間８１ｆと称することができる。また、第２管路部８２を構成する上部ポート区間８２ａ、上部案内区間８２ｃ、中間案内区間８２ｄ、下部ポート区間８２ｂ、折曲区間８２ｅ及び下部案内区間８２ｆをそれぞれ第２上部ポート区間８２ａ、第２上部案内区間８２ｃ、第２中間案内区間８２ｄ、第２下部ポート区間８２ｂ、第２折曲区間８２ｅ及び第２下部案内区間８２ｆと称することができる。
【０１６５】
他の観点から移送管路８１の形状を説明するために、ガスケット６０と同一の中心を有する仮想の円（ＶＯ）を定義することができる。
【０１６６】
上部ポート区間８１ａは仮想の円（ＶＯ）から離隔し、下側に行くほど前記仮想の円（ＶＯ）に近づく。
【０１６７】
上部案内区間８１ｃは前記仮想の円（ＶＯ）に接する。上部案内区間８１ｃは、前記上部ポート区間８１ａの下側から前記仮想の円（ＶＯ）の中心に該当する高さまで延長形成される。
【０１６８】
中間案内区間８１ｄは前記仮想の円（ＶＯ）と離隔される。中間案内区間８１ｄは、上部案内区間８１ｃより大きい曲率半径を有する曲線であるか、上部案内区間８１ｃの下側部の接線と平行に形成されてもよい。
【０１６９】
下部ポート区間８１ｂと折曲区間８１ｅは、前記仮想の円（ＶＯ）と離隔される。
【０１７０】
下部案内区間８１ｆ、８２ｆは前記仮想の円（ＶＯ）に接することがある。下部案内区間８１ｆ、８２ｆは、前記仮想の円（ＶＯ）の最下地点において左側部８１ｆと右側部８２ｆとが相互に連結される。
【０１７１】
吐出ポート８３、８４は、移送管路のポート区間８１ａ、８１ｂ、８２ａ、８２ｂからガスケット６０の中心方向に向かって突出し、ポート挿入管６３、６４に挿入される。吐出ポート８３、８４は、移送管路８１、８２に沿って流動する循環水をノズル６６、６７に案内してドラム４０内に噴射するようにすることができる。
【０１７２】
吐出ポート８３、８４の直径は、ポート挿入管６３、６４の内側直径（ノズル６６、６７と連通するホールの直径）より若干大きく形成されて、吐出ポート８３、８４がポート挿入管６３、６４に圧入される。循環水が吐出ポート８３、８４からノズル６６、６７に向かって流動するとき、反作用によりポート区間８１ａ、８１ｂ、８２ａ、８２ｂにガスケット６０と反対方向に力が作用する。前記反作用力により分配管８０がガスケット６０から脱去されることを防止するために、前述したように、ポート挿入管６３、６４はガスケット６０の外周面６１から外側方向に突出形成され、吐出ポート８３、８４の直径はポート挿入管６３、６４の内側直径より若干大きく形成され、吐出ポート８３、８４の外径には、周りに沿って突起か形成されて摩擦力を増大させる。
【０１７３】
吐出ポート８３、８４は、第１ポート区間８１ａ、８１ｂからガスケット６０の中心を通る垂直線（ＯＶ）に向かう方向に突出する第１吐出ポート８３と、第２ポート区間（８２ａ、８２ｂ）からガスケット６０の中心を通る垂直線（ＯＶ）に向かう方向に突出する第２吐出ポート８４とを含む。第１吐出ポート８３は第１ポート挿入管６３に挿入されて循環水を第１ノズル６６に案内し、第２吐出ポート８４は第２ポート挿入管６４に挿入されて循環水を第２ノズル６７に案内する。
【０１７４】
第１吐出ポート８３は、第１下部ポート挿入管６３ｂに挿入される第１下部吐出ポート８３ｂと、第１上部ポート挿入管６３ａに挿入される第１上部吐出ポート８３ａとを含む。第１下部吐出ポート８３ｂと第１上部吐出ポート８３ａは、それぞれ第１上部ポート区間８１ａと第１下部ポート区間８１ｂから突出し、それぞれ第１上部ポート挿入管６３ａと第１下部ポート挿入管６３ｂに挿入されて第１上部ノズル６６ａと第１下部ノズル６６ｂに循環水を案内する。
【０１７５】
第２吐出ポート８４は、第２下部ポート挿入管６４ｂに挿入される第２下部吐出ポート８４ｂと、第２上部ポート挿入管６４ａに挿入される第２上部吐出ポート８４ａとを含む。第２下部吐出ポート８４ｂと第２上部吐出ポート８４ａは、それぞれ第２上部ポート区間８２ａと第２下部ポート区間８２ｂから突出し、それぞれ第２上部ポート挿入管６４ａと第２下部ポート挿入管６４ｂに挿入されて第２上部ノズル６７ａと第２下部ノズル６７ｂに循環水を案内する。
【０１７６】
一方、図３ないし図４を参照すると、循環管８６の一端は分配管８０の下部から突出した流入ポート８５と連結され、他端はポンプ７０の循環ポート７８と連結される。ポンプ７０の循環ポート７８が流入ポート８５と一直線上で対向する位置に備えられている場合、循環管８６は一直線のパイプ形状であり得る。ただし、それ以外の場合には、循環管８６が柔軟な材質のホースで形成されるか、ベンディングされて形成されてもよい。
【０１７７】
循環管８６は、柔軟であっても形状が維持できる材質からなり、本発明の実施形態においてはＥＰＤＭ（ｅｔｈｙｌｅｎｅ  ｐｒｏｐｙｌｅｎｅ  ｄｉｅｎｅｍｏｎｏｍｅｒ  ｒｕｂｂｅｒ）からなり得る。循環管８６は、ベローズ構造を含んでもよい。
【０１７８】
図３ないし図４に示すように、本発明の一実施形態による洗濯機は、タブ３０の前方面３１に配置されるバランサ９０を含む。バランサ９０は、タブ３０の前方面３１に締結される。バランサ９０は、タブ３０の振動を低減するためのものであり、所定の重量を有する重量体である。バランサ９０は、タブ３０の前方面３１の周りに沿って配置される１つ又は２つ以上のバランサ９０を含む。
【０１７９】
本発明の第１実施形態による洗濯機のバランサ９０は、タブ３０の前方面３１に左右両側にそれぞれ配置される第１バランサ９１と第２バランサ９２とを含む。第１バランサ９１はガスケット６０の左側に配置され、第２バランサ９２はガスケットの右側に配置される。
【０１８０】
第１バランサ９１と第２バランサ９１は、上側及び下側で互いに離隔する。第１、第２バランサ９１、９２は、互いにガスケット６０の中心を通る垂直線（ＯＶ）を基準として左右対称の形状であってもよく、前記垂直線（ＯＶ）を基準として左右対称の位置に配置されてもよい。
【０１８１】
図１１ないし図１３に示すように、本発明の第２実施形態による洗濯機は、ケーシング１０とタブ３０とを連結するガスケット６０と、ドラム４０内に水を噴射するノズル６６、６７と、タブ３０から排出された水を圧送するポンプ７０と、ポンプ７０により圧送された水を前記ノズル６６、６７に案内する分配管８００とを含む。また、タブ３０の前方面３１に配置されるバランサ９０と、ポンプ７０から圧送された水を分配管８００に案内する循環管８６０とを含む。
【０１８２】
本発明の第２実施形態による洗濯機は、第１実施形態による洗濯機と比較してバランサ９０、分配管８００、循環管８６０の構造に違いがある。
【０１８３】
本発明の第２実施形態による洗濯機のバランサ９０は、タブ３０の前方面３１に配置され、上下に分離された上部バランサ９３及び下部バランサ９４を含む。上部バランサ９３はガスケット６０の上側に位置し、下部バランサ９４はガスケットの下側に位置する。上部バランサ９３と下部バランサ９４は互いに上下に離隔して配置される。
【０１８４】
本発明の第２実施形態による洗濯機の分配管８００は、ガスケット６０を基準に左右両側にそれぞれ配置される第１分配管８０１と第２分配管８０２を含む。第１分配管８０１はポンプ７０から圧送された水を第１ノズル６６に供給し、第２分配管８０２はポンプ７０から圧送された水を第２ノズル６７に供給する。
【０１８５】
第１分配管８０１と第２分配管８０２は、ガスケット６０の中心を通る垂直線（ＯＶ）を基準に互いに左右対称形状に形成及び配置される。または、第１分配管８０１と第２分配管８０２は形状が同一であり、ガスケット６０の中心を通る垂直線（ＯＶ）を基準に左右対称に配置される。
【０１８６】
第１、第２分配管８００のそれぞれは、ポンプ７０から圧送された水を案内する第１、第２移送管路８１０、８２０と、第１、第２移送管路８１０、８２０からガスケット６０側に突出し、ポート挿入管６３、６４と結合する第１、第２吐出ポート８３０、８４０を含む。また、第１、第２分配管８０１、８０２のそれぞれは、ポンプ７０から吐出された水が流入される第１、第２流入ポート８５１、８５２を含み、第１、第２移送管路８１０、８２０は、それぞれ第１、第２流入ポート８５１、８５２から流入された水をポート挿入管６３、６４に案内する。
【０１８７】
分配管８００の移送管路８０１、８０２はガスケットボディの外周面６１に配置される。第１、第２移送管路８０、８０２のそれぞれは、ガスケットボディの外周面６１に対向する内側面と、前記内側面の反対側である外側面とを備える。
【０１８８】
分配管８００は、吐出ポート８３、８４がポート挿入管６３、６４に挿入されてガスケット６０に結合できる。第１分配管８０１は、第１吐出ポート８３０が第１ポート挿入管６３に挿入されてガスケット６０に結合され、第２分配管８０２は第２吐出ポート８４０が第２ポート挿入管６４に挿入されてガスケット６０に結合されることができる。
【０１８９】
第１、第２吐出ポート８３、８４はそれぞれ第１、第２移送管路８０１、８０２の内側面から突出し、第１、第２流入ポート８５１、８５２は移送管路８１０、８２０の外側面から突出する。
【０１９０】
移送管路８０１、８０２は、ガスケットボディの外周面６１から離隔された部分８１０ｂ、８２０ｂを含み、前記離隔された部分に下部吐出ポート８３ｂ、８４ｂを配置する。第１移送管路８０１に離隔された部分を第１部分８１ｂとし、第２移送管路８２に離隔された部分を第２部分８２ｂとする。第１下部吐出ポート８３ｂは前記第１部分８１ｂから突出し、第２下部吐出ポート８３ｂは前記第２部分８２ｂ、８２ｂから突出する。
【０１９１】
第１、第２移送管路８１０、８２０は、前述したように、互いに対称形に形成及び配置されるので、以下、第１移送管路８１０について説明し、第２移送管路８２０についての説明は省略する。
【０１９２】
移送管路８１０は、吐出ポート８３０が配置されるポート区間８１０ａ、８１０ｂと流入ポート８５１が配置される流入区間８１０ｃと、それ以外の区間である案内区間８１０ｄ〜８１０ｅとに区分される。ポート区間８１０ａ、８１０ｂは上部ポート区間８１０ａ、下部ポート区間８１０ｂを含む。案内区間８１０ｄ〜８１０ｅは中間案内区間８１０ｅ及び上部案内区間８１０ｄを含む。
【０１９３】
移送管路８１０は、上部吐出ポート８３０が配置される上部ポート区間８１０ａと、上部ポート区間８１０ａの下側に弧形状に延長形成された上部案内区間８１０ｄと、上部案内区間８１０ｄの下側に下方に行くほどガスケット６０の外周面６１から離れる中間案内区間８１０ｅと、中間案内区間８１０ｅの下側に配置される下部ポート区間８１０ｂと、下部ポート区間８１０ｂの下側から下方に行くほどガスケット６０の中心を通る垂直線（ＯＶ）に近くなるように曲がり、流入ポート８５１が配置される流入区間８１０ｃとを備える。
【０１９４】
本発明の第２実施形態による移送管路８１０のうち上部ポート区間８１０ａ、上部案内区間８１０ｄ、中間案内区間８１０ｅ及び下部ポート区間８１０ｂは、本発明の第１実施形態による移送管路８１のうち上部ポート区間８１ａ、上部案内区間８１ｃ、中間案内区間８１ｄ及び下部ポート区間８１ｂとそれぞれ同一であるので、詳しい説明は省略する。
【０１９５】
移送管路８１０は下部ポート区間８１０ｂの下側に、下方に行くほどガスケット６０の中心を通る垂直線（ＯＶ）に近づく方向に曲がった流入区間８１０ｃを備える。流入区間８１０ｃには流入ポート８５１が配置される。
【０１９６】
流入区間８１０ｃは、上側に行くほどガスケット６０の中心を通る垂直線（ＯＶ）から遠ざかる方向に傾斜する。流入区間８１０ｃの少なくとも上端部が前記ガスケットボディの外周面６１から離隔される。
【０１９７】
下部ポート区間８１０ｂは、流入区間８１０ｃの上端部から上側に延長される。下部ポート区間８１０ｂはガスケットボディの外周面６１から離隔される。
【０１９８】
流入ポート８５１は、移送管路８１０の外側面のうち流入区間８１０ｃ、すなわち、流入区間８１０ｃの外側面から外側方向に突出する。流入ポート８５１は、流入区間８１０ｃの外側面と垂直な方向に突出する。
【０１９９】
他の観点から移送管路８１０の形状を説明するために、ガスケット６０と同一の中心を有する仮想の円（ＶＯ）を定義することができる。
【０２００】
上部ポート区間８１０ａは仮想の円（ＶＯ）から離隔し、下側に行くほど前記仮想の円（ＶＯ）に近づく。
【０２０１】
上部案内区間８１０ｄは前記仮想の円（ＶＯ）に接する。上部案内区間８１０ｄは、前記上部ポート区間８１０ａの下側から前記仮想の円（ＶＯ）の中心に該当する高さまで延長形成される。
【０２０２】
中間案内区間８１０ｅは前記仮想の円（ＶＯ）と離隔されてもよい。中間案内区間８１０ｅは、上部案内区間８１０ｄより大きい曲率半径を有する曲線であるか、上部案内区間８１０ｄの下側部の接線と平行に形成されてもよい。
【０２０３】
下部ポート区間８１０ｂと流入区間８１０ｃは、前記仮想の円（ＶＯ）と離隔する。
【０２０４】
本発明の第２実施形態による洗濯機の吐出ポート８３０及び吐出ポート８３０とガスケット６０の結合関係は、本発明の第１実施形態と同一であるので、これについての説明は省略する。
【０２０５】
本発明の第２実施形態による洗濯機の循環管８６０は、ポンプから圧送された水を第１分配管８０１に案内する第１循環管８６１と、第２分配管８０２に案内する第２循環管８６２とを含む。
【０２０６】
前記第１循環管８６１と第２循環管８６２は、前記第１実施形態における循環管８６とは異なり、ポンプ７０と分配管８００を連結する柔軟な材質のホースであってもよい。
【０２０７】
ポンプ７０は、第１実施形態とは異なり、２つの循環ポートを含み、それぞれの循環ポートは、第１、第２循環管８６１、８６２と結合できる。
【０２０８】
以上では、本発明の好ましい実施形態について図示して説明したが、本発明は、前述の特定の実施形態に限定されるものではなく、請求の範囲で請求する本発明の要旨を逸脱することなく、当該発明の属する技術分野において通常の知識を有する者により多様な変形実施が可能であることは言うまでもなく、このような変形実施は、本発明の技術的思想や展望から個別に理解されてはいけない。
【図１】
2021529044.tif 000003
【図２】
2021529044.tif 000004
【図３】
2021529044.tif 000005
【図４】
2021529044.tif 000006
【図５】
2021529044.tif 000007
【図６】
2021529044.tif 000008
【図７】
2021529044.tif 000009
【図８】
2021529044.tif 000010
【図９】
2021529044.tif 000011
【図１０】
2021529044.tif 000012
【図１１】
2021529044.tif 000013
【図１２】
2021529044.tif 000014
【図１３】
2021529044.tif 000015
【国際調査報告】
2021529044.tif 000016
2021529044.tif 000017
2021529044.tif 000018